(57)【特許請求の範囲】
【請求項１】
光学素子の光軸方向において、環状の固定手段は環状の第１の押圧方向変換手段と接し、前記第１の押圧方向変換手段は環状の第２の押圧方向変換手段と接し、前記第２の押圧方向変換手段は前記光学素子と接し、前記光学素子は光学素子を支持する支持手段と接し、
前記固定手段は前記第１の押圧方向変換手段を前記光軸方向に押圧することにより、前記光学素子を前記支持手段に対して押圧し、
前記第１の押圧方向変換手段と前記第２の押圧方向変換手段とが接する面は、前記光軸に対して傾斜した環状の傾斜面であり、
前記第１の押圧方向変換手段の外周面の複数の箇所を、径方向内側方向に押圧する押圧力を調整する押圧手段を有し、前記押圧手段による前記第１の押圧方向変換手段の前記外周面への押圧力は、前記傾斜面を介して前記第２の押圧方向変換手段を前記光学素子へ押圧する、
ことを特徴とする光学素子保持装置。
【請求項２】
前記固定手段が、前記第２の押圧方向変換手段を兼ねていることを特徴とする請求項１に記載の光学素子保持装置。
【請求項３】
前記押圧手段が、前記第１の押圧方向変換手段を兼ねていることを特徴とする請求項１又は２に記載の光学素子保持装置。
【請求項４】
前記調整手段は、
前記固定手段を前記光軸方向に貫通する貫通穴を通して前記光軸方向の押圧力を与える第１の押圧手段と、
前記光学素子に隣接すると共に該第１の押圧手段と隣接する環状の第２の押圧手段と、
を有することを特徴とする請求項１に記載の光学素子保持装置。
【請求項５】
請求項１乃至４のいずれか１項に記載の光学素子保持装置を有するレンズ装置。
【請求項６】
請求項５に記載のレンズ装置を含む撮像装置。
【発明の詳細な説明】
【技術分野】
【０００１】
本発明は、レンズ、光学フィルター等の光学素子を保持する光学素子保持装置に関し、例えばＴＶレンズ等の撮像装置に用いられるレンズ鏡筒等のレンズ装置、撮像装置に好適なものである。
【背景技術】
【０００２】
レンズ系においては、高い結像性能が求められている。例えば、放送用ＴＶレンズを構成するレンズ系においては、撮影映像のＨＤ（ハイビジョン）化等により高い結像性能が求められている。そのため、レンズ系を構成する個々のレンズの収差を低く抑える必要がある。しかし、レンズの加工や保持により、レンズに変形が生じ、その結果として非点収差が発生するので、レンズ系を構成する個々のレンズの収差を低く抑えることのみによる、レンズ系の結像性能の向上には限界がある。
そこで、レンズ系の結像性能を向上させるために、レンズ系を構成する一部のレンズの面形状を積極的に変形させることにより、レンズ系を構成する他のレンズによる収差を打ち消すような収差を発生させ、レンズ系として高い結像性能を実現する技術がある。例えば、特許文献１では、レンズ支持点の高さを変化させることで、自重によるレンズ変形を発生させる技術が開示されている。
【先行技術文献】
【特許文献】
【０００３】
【特許文献１】特開２００６−１５６７１３号公報
【発明の開示】
【発明が解決しようとする課題】
【０００４】
しかしながら、上述の特許文献１に開示された技術は、光学素子保持機構が複雑になるため、光学素子保持装置が大型化し、それに伴い組立性も悪くなる。また、当該技術は、レンズ自体の自重を利用してレンズを平置きで支持するものであり、主に半導体露光装置のように比較的外力が加わらない環境下で使用される装置において好適に用いられるものである。よって、外力の加わることの多い放送用ＴＶレンズ等において用いるには適さない。
そこで、本発明の目的は、外力の加わることの多い環境下で用いられる光学素子に対して適用し得る光学素子保持装置であり、光学素子を変形させることにより意図的に収差を発生させ得る光学素子保持装置を提供することにある。また、当該光学素子保持装置により、レンズ系の結像性能を向上し得るレンズ装置、撮像装置を提供することにある。
【課題を解決するための手段】
【０００５】
上記目的を達成するために、本発明の光学素子保持装置は、光学素子の光軸方向において、環状の固定手段は環状の第１の押圧方向変換手段と接し、前記第１の押圧方向変換手段は環状の第２の押圧方向変換手段と接し、前記第２の押圧方向変換手段は前記光学素子と接し、前記光学素子は光学素子を支持する支持手段と接し、前記固定手段は前記第１の押圧方向変換手段を前記光軸方向に押圧することにより、前記光学素子を前記支持手段に対して押圧し、前記第１の押圧方向変換手段と前記第２の押圧方向変換手段とが接する面は、前記光軸に対して傾斜した環状の傾斜面であり、前記第１の押圧方向変換手段の外周面の複数の箇所を、径方向内側方向に押圧する押圧力を調整する押圧手段とを有し、前記押圧手段による前記第１の押圧方向変換手段の前記外周面への押圧力は、前記傾斜面を介して前記第２の押圧方向変換手段を前記光学素子へ押圧する、ことを特徴とする。
【発明の効果】
【０００６】
本発明によれば、外力の加わることの多い環境下で用いられる光学素子に対して適用し得る光学素子保持装置であり、光学素子を変形させることにより意図的に収差を発生させ得る光学素子保持装置を提供することができる。当該光学素子保持装置によれば、固定された光学素子に対し、支持手段の外部からの操作により光学素子を積極的に変形させることで、レンズ系の非点収差補正を行うことができる。また、光学素子を分解することなく該光学素子を変形させることができるので、レンズ全体の結像性能を確認しながら補正作業を行うことができる。さらに、構造が簡素なため、装置の小型化、軽量化にも効果が期待できる。
また、当該光学素子保持装置により、レンズ系の結像性能を向上し得るレンズ装置、撮像装置を提供することができる。
【図面の簡単な説明】
【０００７】
【図１】実施例１の光学素子保持装置を示す図である。（ａ）は断面図、（ｂ）は分解図を表す。
【図２】実施例２の光学素子保持装置を示す図である。（ａ）は押圧方向変換部材を介して押え環を押圧する場合の断面図、（ｂ）は押え環を直接押圧する場合の断面図を表す。
【図３】実施例３の光学素子保持装置を示す図である。（ａ）は断面図、（ｂ）はスペーサー部材がレンズに挟持された場合の図を表す。
【図４】実施例４の光学素子保持装置を示す図である。（ａ）は断面図、（ｂ）は鏡筒外周から押圧を加えた状態を表す。
【図５】実施例５の光学素子保持装置を示す図である。（ａ）は断面図、（ｂ）は鏡筒外周から押圧を加えた状態、（ｃ）は（ａ）のＡ−Ａ断面図を表す。
【図６】実施例６の光学素子保持装置を示す図である。（ａ）は断面図、（ｂ）はスペーサー部材が押え環とレンズに挟持される場合を表す。
【発明を実施するための最良の形態】
【０００８】
以下に、本発明の好ましい実施の形態を、添付の図面に基づいて詳細に説明する。図１から図６は、本発明に係る光学素子保持装置の説明図である。
【実施例１】
【０００９】
本発明の第１の実施例による、光学素子保持装置について説明する。
図１（ａ）は実施例１の光学素子保持装置の断面図、図１（ｂ）は分解図を示す。
【００１０】
光学素子であるレンズ１は、支持手段である鏡筒２によって保持されている。押え環３はレンズ１を鏡筒２内に固定する環状の固定手段であり、鏡筒２及び押え環３は各々螺子部２ｂ、３ａを有し、互いに螺合する。セットビス５は、鏡筒２の側面の複数箇所に光軸を中心とする半径方向（光軸に垂直な成分を有する方向）に貫通して設けられたタップ穴２ａと螺合し、環状の第１の押圧方向変換部材４ａに対して図１に示す矢印Ａ方向に押圧力を与える。第１の押圧方向変換部材（第１の押圧方向変換手段）４ａは、押圧方向変換部４ｃを介して第２の押圧方向変換部材（第２の押圧方向変換手段）４ｂと隣接し当接する。セットビス５、第１の押圧方向変換部材４ａ、第２の押圧方向変換部材４ｂは、調整手段を構成し、セットビス５によって第１の押圧方向変換部材４ａに与えられた径方向内側（矢印Ａ方向、あるいは、光軸と垂直な成分を有する方向）に向けた押圧力を、第１の押圧方向変換部材４ａとレンズ１との間に配置された第２の押圧方向変換部材４ｂによってレンズ１を押圧する方向（光軸方向の成分を有する方向、矢印Ｂ方向）の押圧力に変換し、該押圧力を調整する。タップ穴２ａは、光軸方向において押圧方向変換部材４ａを臨む位置に設けられる。押圧方向変換部４ｃである第２の押圧方向変換部材４ｂの傾斜面（当接面）は、光軸方向に対して傾斜し、光学素子から離れる方向を向く法線を有し、第１の押圧方向変換部材４ａは、第２の押圧方向変換部材４ｂの傾斜面（当接面）と隣接し当接する傾斜面（当接面）を有し、これら傾斜面（当接面）によって押圧方向変換部４ｃが構成される。なお、第２の押圧方向変換部材４ｂの該傾斜面（当接面）の法線の方向は、第２の押圧方向変換部材４ｂの内部から、外側に向く方向とするものとする。
【００１１】
以上の構成において、セットビス５をタップ穴２ａに締め込むことで、押圧方向変換部材４ａを矢印Ａの方向へ押圧し、押圧方向変換部４ｃを介して押圧方向変換部材４ｂを矢印Ｂの方向へ押圧する。レンズ１は外周近傍を押圧方向変換部材４ｂに押圧され、局所的に変形し、非点収差が変化する。
【００１２】
この操作により、レンズ全体での非点収差を打ち消す特性を持つ非点収差をレンズ１に発生させ、レンズ全体での結像性能を補正する。ここで、レンズ１に発生する非点収差の特性は、セットビスを締め込むタップ穴２ａを適宜選択し、また、セットビス５の締め込み量を変化させることにより、レンズ１に生じる非点収差の発生量を調整することができる。なお、非点収差調整後に、セットビス５の回転位置は接着剤により固定し、補正された非点収差の状態を維持することができる。
【００１３】
以上、本実施例によれば、レンズ全体による結像性能を確認（非点収差の状態をフィードバック）しながら、セットビス５を締め込むタップ穴２ａの選択、それぞれのセットビス５の締め込み量を調整して非点収差を補正することが可能となり、効率的にレンズ全体での結像性能を補正することができる。
【００１４】
さらに、レンズ装置を固定したまま非点収差調整をすることができるので、調整を容易に行うことができる。また、簡素な構造で非点収差調整が可能となるため、部品数や工数等の点からコストを抑えることができる。
【００１５】
なお、本実施例では、押圧方向変換部４ｃの形状を斜面で表記しているが、矢印Ａ方向への押圧力を矢印Ｂ方向の押圧力に変える形状であれば良く、斜面に限定されない。
【実施例２】
【００１６】
本発明の第２の実施例による光学素子保持装置について説明する。
図２は実施例２の光学素子保持装置を示し、（ａ）は押圧方向変換部材（第１の押圧方向変換手段）４ａを介してセットビス５が押え環１１（固定手段兼第２の押圧方向変換手段）を押圧する場合の断面図、（ｂ）はセットビス２４（押圧手段兼第１の押圧方向変換手段）が押え環１１（固定手段兼第２の押圧方向変換手段）を直接押圧する場合の断面図を示す。
【００１７】
本実施例の押え環１１は、鏡筒２の螺子部２ｂと螺合する螺子部１１ａを有するとともに、半径方向内側（矢印Ａ方向、光軸と垂直な成分を有する方向）への押圧力をレンズ１の方向（光軸方向、矢印Ｂ方向）への押圧力に変換する押圧方向変換部１１ｂが一体に形成されている。押圧方向変換部材４ａとレンズ１との間に位置する押圧方向変換部１１ｂは、鏡筒２の外側から半径方向内側に向けた押圧力を光軸方向の押圧力に変換するための傾斜面として形成されている。傾斜面（当接面）である押圧方向変換部１１ｂは、光軸方向に対して傾斜し、光学素子から離れる方向を向く法線を有する。
【００１８】
図２（ａ）に示した実施例においては、タップ穴２ａに螺合した押圧手段であるセットビス５により、第１の押圧方向変換手段である第１の押圧方向変換部材４ａを半径方向内側に押圧する。第１の押圧方向変換部材４ａと、第１の押圧方向変換部材４ａが隣接し当接する、押え環１１に一体に形成された押圧方向変換部１１ｂとが協働して、半径方向内側に向けた押圧力は、レンズ方向（光軸方向の成分を有する方向、矢印Ｂ方向）に向けた押圧力に変換され、レンズを押圧することができる。
【００１９】
図２（ｂ）に示した実施例においては、タップ穴２ａに螺合した押圧手段であるセットビス２４は、押え環１１に一体に形成された押圧方向変換部１１ｂの傾斜面と隣接し当接する。これによって、セットビス２４による半径方向内側（光軸に垂直な成分を有する方向）に向けた押圧力は、レンズ方向（光軸方向の成分を有する方向、矢印Ｂ方向）に向けた押圧力に変換され、レンズを押圧することができる。この態様においては、調整手段は、第１の押圧方向変換手段を兼ねる押圧手段としてのセットビス２４と、第２の押圧方向変換手段を兼ねる固定手段としての押え環１１によって構成され、第１の押圧方向変換部材４ａ及び第２の押圧方向変換部材４ｂがなくても同様の効果を得ることができる。他の符号は実施例１と同様につき説明を割愛する。
【００２０】
本実施例において、非点収差を補正する方法は実施例１に記載した方法と同等であり、実施例１と同等の効果が得られる。さらに、図２（ｂ）に示す構造の場合は、実施例１よりも簡素な構造で非点収差補正を行うことができる。
【００２１】
本実施例においても、押圧方向変換部１１ｂの形状を斜面で表記しているが、矢印Ａ方向への押圧力を矢印Ｂ方向への押圧力に変える形状であれば良く、斜面に限定されない。
【実施例３】
【００２２】
本発明の第３の実施例による、光学素子保持装置について説明する。
図３（ａ）は、実施例３による光学素子保持装置の断面図を示す。
【００２３】
レンズ１ａは、鏡筒２１によって保持され、スペーサー部材２２（第２の押圧方向変換手段）を介し、押え環２３（固定手段）によって鏡筒２１（支持手段）内に固定される。また、スペーサー部材２２には、押圧手段であるセットビス２４（押圧手段兼第１の押圧方向変換手段）によって鏡筒２１の半径方向内側（矢印Ａ方向、光軸に垂直な成分を有する方向）に向けた押圧力をレンズ１ａの方向（矢印Ｂ方向、あるいは光軸方向の成分を有する方向）の押圧力に変換する押圧方向変換部２２ａが設けられている。押圧方向変換部２２ａは、セットビス２４とレンズ１ａとの間に配置されている。本実施例においては、セットビス２４及びスペーサー部材２２によって調整手段が構成される。鏡筒２１及び押え環２３は各々螺子部２１ｂと２３ａを有し、互いに螺合する。セットビス２４は鏡筒２１の周囲に半径方向に貫通して設けられたタップ穴２１ａと螺合する。なお、スペーサー部材２２の押圧方向変換部２２ａは、鏡筒２１に設けられたタップ穴２１ａに対応する位置に設けられ、タップ穴２１ａに対応しない位置においては、図３（ａ）に示すような、例えば、矩形の断面形状を有し、押え環２３による光軸方向の押圧力を受ける形状を有する。他の符号は実施例１と同様につき説明を割愛する。
【００２４】
以上の構成において、セットビス２４を矢印Ａ方向へ締め込むことで、押圧方向変換部２２ａを介してスペーサー部材２２は矢印Ｂ方向へ押圧される。レンズ１ａは外周近傍をスペーサー部材２２に光軸方向に押圧され、局所的に変形し、非点収差が発生する。
【００２５】
この操作により、レンズ全体での非点収差を打ち消す特性を持つ非点収差をレンズ１ａに発生させ、レンズ全体での結像性能を補正することができる。ここで、セットビス２４を螺合させるタップ穴２１ａの位置を適宜選択し、セットビス２４の締め込み量を調整することにより、レンズ１ａに生じる非点収差の発生量を調整することができる。なお、収差調整後にセットビス２４の回転位置は接着剤により固定し、補正された非点収差の状態を維持することができる。
【００２６】
本実施例によれば、実施例１に記載の効果を得ることができる。
本実施例では、押圧方向変換部２２ａの形状を斜面で表記しているが、矢印Ａ方向への押圧力を矢印Ｂ方向の押圧力に変える形状であれば良く、斜面に限定されない。本実施例に記載の押圧方向変換部２２ａはスペーサー部材２２と一体で形成されるが、実施例１と実施例２に記載するように一つ以上の複数部材に分かれても良い。さらに、本実施例に記載の押圧方向変換部２２ａは部分的であるが、スペーサー部材２２の全周に設けても良い。
また、図３（ｂ）に示すように、スペーサー部材２２を直接押え環２３により押圧せず、押え環２３とスペーサー部材２２の間にレンズ１ｂを配置し、スペーサー部材２２は、レンズ１ａ、１ｂの間に配置する構成としても良い。
【実施例４】
【００２７】
本発明の第４の実施例による、光学素子保持装置について説明する。
図４（ａ）は実施例４による光学素子保持装置の断面図、図４（ｂ）は図４（ａ）において支持手段の外周からの押圧を加えた状態を示す説明図である。
レンズ１は、鏡筒３１により保持され、押え環３によって鏡筒２内に固定される。鏡筒３１は押え環３の螺子部３ａと螺合する螺子部３１ｂを有する。鏡筒３１の側面の複数箇所に径方向（光軸に垂直な成分を有する方向）に貫通する貫通穴３１ａが、環状の第１の押圧方向変換部材（第１の押圧方向変換手段）４ａを臨む位置に設けられている。第１の実施例と同様に、第１の押圧方向変換部材４ａは、押圧方向変換部４ｃを介して第２の押圧方向変換部材（第２の押圧方向変換手段）４ｂと隣接し当接する。
【００２８】
実施例１乃至３においては、タップ穴２ａに螺合したセットビス（押圧手段）５により、鏡筒の半径方向内側への押圧力が加えられていた。本実施例においては、鏡筒３１を径方向に貫通する貫通穴３１ａに配置される略球状の弾性体３２が押圧方向変換部（第１の押圧方向変換手段）４ａを半径方向内側（矢印Ａ方向、光軸に垂直な成分を有する方向）へ押圧する。弾性体３２は、鏡筒３１の外周を包囲する環状のバンド３３により矢印Ａの方向へ押圧される。すなわち、本実施例における押圧手段は、弾性体３２とバンド３３により構成される。バンド３３は、鏡筒３１の外周に沿って貫通穴３１ａ内に配置された弾性体３２の位置まで摺動されて、弾性体３２を押圧する。バンド３３が弾性体３２を押圧する位置にあるときには、バンドの半径方向内面側の切欠き３３ａが弾性体３２と隣接及び当接し、弾性体３２の反力によって、バンドが鏡筒の光軸方向に摺動して移動し貫通穴３１ａの位置から外れることを防止する。他の符号は実施例１と同様につき説明を割愛する。
【００２９】
以上の構成において、貫通穴３１ａに弾性体３２を設置し、バンド３３を鏡筒３１の外周に沿って摺動させることで、弾性体３２により押圧方向変換部材４ａを矢印Ａ方向へ押圧し、押圧方向変換部４ｃを介して押圧方向変換部材（第２の押圧方向変換手段）４ｂを矢印Ｂ方向へ押圧する。レンズ１は外周近傍を押圧方向変換部材４ｂによって押圧され、局所的に変形し、非点収差を発生させる。
【００３０】
この操作により、レンズ全体での非点収差を打ち消す特性を持つ非点収差をレンズ１に発生させ、レンズ全体での結像性能を補正する。ここで、レンズ１に発生する非点収差の特性は貫通穴３１ａの位置に応じて適宜選択し、また、弾性体３２の材質や径を変化させて、弾性体３２の弾性力を変化させることにより、レンズ１に加わる押圧力を変化させ、レンズ１に生じる非点収差の発生量を調整することができる。なお、収差補正後にバンド３３を接着剤やビスにより鏡筒３１に固定しても良い。
【００３１】
本実施例によれば、実施例１に記載の効果を得ることができる。さらに、矢印Ａ方向への押圧を行うために鏡筒３１の外周にセットビス締め付け用の螺子部を設ける必要がないため、鏡筒３１が薄肉形状の場合に非点収差補正を行う有効な手段の一つである。また、バンド３３を摺動させて弾性体３２を押圧するだけでレンズ１の非点収差補正ができるため、作業が簡単かつ、作業のバラツキが少ない利点がある。
【００３２】
本実施例では、押圧方向変換部４ｃの形状を斜面で表記しているが、矢印Ａ方向への押圧力を矢印Ｂ方向の押圧力に変える形状であれば良く、斜面に限定されない。また、本実施例に記載の押圧方向変換部４ｃは押圧方向変換部材４ａ、４ｂに形成されるが、実施例２に記載するような押え環１１を用いても良い。
【実施例５】
【００３３】
本発明の第５の実施例による、光学素子保持装置について説明する。
本実施例の光学素子保持装置は、実施例４による光学素子保持装置と同様に、略球状の弾性体３２によって、押圧方向変換部材４ａに鏡筒の半径方向内側に向けた押圧力が加えられる。本実施例と実施例４とは、弾性体３２に押圧力を加えるための構成が異なる。以下、実施例４と異なる点を中心に説明し、同様の構成については、重複するため説明は省略する。
【００３４】
図５（ａ）は実施例５による光学素子保持装置の断面図、図５（ｂ）は図５（ａ）において支持手段の外周から押圧を加えた状態を示す断面図、図５（ｃ）は図５（ａ）のＡ−Ａ断面での断面図を示す。
【００３５】
レンズ１は鏡筒４１により保持され、押え環３によって鏡筒４１内に固定される。鏡筒４１の側面に複数箇所の貫通穴４１ａが設けられている。さらに、鏡筒４１と押え環３はそれぞれ螺子部４１ｂと螺合する螺子部３ａを有し、互いに螺合する。貫通穴４１ａを通して弾性体３２を半径方向内側（矢印Ａ方向）へ押圧するバンド４２は、面カム４２ａを有する。本実施例においては、調整手段は、弾性体３２、バンド４２、第１の押圧方向変換部材４ａ、第２の押圧方向変換部材４ｂで構成される。さらに、貫通穴４１ａを通して弾性体３２によって押圧方向変換部材４ａを押圧している際は、弾性体３２の反力によってバンドが鏡筒の光軸方向に摺動して移動し、貫通穴４１ａの位置から外れることを防止するための、弾性体３２と隣接し当接する切欠き４２ｂを有する。鏡筒外周には直溝４１ｃが形成され、バンド４２を鏡筒４１の外周に沿って回転したときに、弾性体３２が光軸周りに回転することを規制する。また、バンド４２を摺動させた時に面カム４２ａが貫通穴４１ａを臨む位置に規制するための段４１ｄがある。他の符号は他の実施例と同様につき説明を割愛する。
【００３６】
以上の構成において、面カム４２ａの間に弾性体３２を保持し、バンド４２を段４１ｄに隣接し当接するまで、鏡筒４１の外周に沿って摺動させる。さらに、バンド４２を鏡筒４１の外周に沿って回転させ、面カム４２ａによって弾性体３２を矢印Ａ方向へ押圧し、弾性体３２によって第１の押圧方向変換部材４ａを矢印Ａ方向へ押圧し、押圧方向変換部４ｃを介して第２の押圧方向変換部材４ｂを矢印Ｂ方向へ押圧する。レンズ１は外周近傍を第２の押圧方向変換部材４ｂに押圧され、局所的に変形し、非点収差を発生する。
【００３７】
この操作により、レンズ全体での非点収差を打ち消す特性を持つ非点収差をレンズ１に発生させ、レンズ全体での結像性能を補正する。ここで、レンズ１に発生する非点収差の特性は貫通穴４１ａの位置に応じて適宜選択し、また、弾性体３２の材質や径を変化させて、弾性体３２の弾性力を変化させることにより、レンズ１に加わる押圧力を変化させ、レンズ１に生じる非点収差の発生量を調整することができる。なお、非点収差補正後にバンド４２を接着剤やビスにより鏡筒４１に固定しても良い。
【００３８】
本実施例によれば、実施例５に記載の効果を得ることができる。さらに、面カム４２ａの間に弾性体３２を保持することで、弾性体３２を押圧する時に弾性体３２が落下することを防止し、非点収差補正の作業性を改善することができる。
【００３９】
本実施例では、押圧方向変換部４ｃの形状を斜面で表記しているが、矢印Ａ方向への押圧力を矢印Ｂ方向の押圧力に変える形状であれば良く、斜面に限定されない。また、本実施例に記載の押圧方向変換部４ｃは第１、２の押圧方向変換部材４ａ、４ｂに形成されるが、実施例２に記載するような押え環１１を用いても良い。
【実施例６】
【００４０】
本発明の第６の実施例による、光学素子保持装置について説明する。
図６（ａ）は実施例６による光学素子保持装置の断面図を示す。
【００４１】
押え環５１（固定手段）は、鏡筒２の螺子部２ｂと互いに螺合する螺子部５１ａを有し、レンズ１を鏡筒内に固定する。また、押え環５１には、光軸方向に貫通するタップ穴５１ｂが面５１ｃの周方向の複数の箇所に設けられている。セットビス５２（第１の押圧手段）は、タップ穴５１ｂと螺合し、押え環５１とレンズ１の間に配置されたスペーサー部材５３（第２の押圧手段）に押圧力を与えてレンズの方向に押圧する。その際、スペーサー部材５３は、セットビス５２を締め付けたときにセットビス５２が直接レンズ１に接することはなく、局所的な押圧力がレンズ１に与えられることはないので、レンズ１を傷つけにくくする。他の符号は他の実施例と同様につき説明を割愛する。
【００４２】
以上の構成において、セットビス５２を締め込むとスペーサー部材５３を介してレンズ１の外周近傍を押圧し、レンズ１を局所的に変形させ、非点収差が発生する。
【００４３】
この操作により、レンズ全体での非点収差を打ち消す特性を持つ非点収差をレンズ１に発生させ、レンズ全体での結像性能を補正する。ここで、レンズ１に発生する非点収差の特性は、セットビス５２を螺合させるタップ穴５１ｂの位置、及び、セットビス５２の締め込み量を調整し、レンズ１に生じる非点収差の発生量を調整することができる。なお、収差調整後にセットビス５２の回転位置は接着剤により固定することができ、補正された非点収差の状態を維持することができる。
【００４４】
また、図６（ｂ）に示すように、スペーサー部材５５（第２の押圧手段）が押え環５４（固定手段）と嵌合していない場合でも、図６（ａ）に示す構造を用いた場合の効果を得ることができる。
本発明によれば実施例１に記載の効果を得ることができる。
【００４５】
上記の実施例で説明した光学素子保持装置を有するレンズ装置は、簡易な構成でありながら、固定された光学素子に対し、支持手段の外部からの操作により光学素子を積極的に変形させることで、レンズ全体の非点収差補正を行うことができるという効果を有する。また、該光学素子保持装置を含む撮像装置も、本発明の同様の効果を奏することができる。
【００４６】
以上、本発明の好ましい実施形態について説明したが、本発明はこれらの実施形態に限定されず、その要旨の範囲内で種々の変形及び変更が可能である。
【符号の説明】
【００４７】
１  レンズ（光学素子）
２，２１，３１  鏡筒（支持手段）
３，２３，５１，５４  押え環（固定手段）
４ａ  第１の押圧方向変換部材（調整手段）
４ｂ  第２の押圧方向変換部材（調整手段）
５，２４，５２  セットビス（調整手段）
１１  押え環（固定手段兼調整手段）
２２，５３，５５  スペーサー部材（調整手段）
【図１】
0005904749.tif 000002
【図２】
0005904749.tif 000003
【図３】
0005904749.tif 000004
【図４】
0005904749.tif 000005
【図５】
0005904749.tif 000006
【図６】
0005904749.tif 000007